(57)【要約】【課題】部品点数の増加を伴うことなく、従来の土鍋等に比して余熱調理における食品への煮汁や燻煙等の浸透効果が高く、短時間で美味しい調理を行うことができる、新規な構造の陶器製減圧調理鍋を提供すること。【解決手段】陶器製の容器本体１２と、容器本体１２の開口部１４を覆蓋すると共に通気孔を有しない陶器製の蓋体１６と、を備えており、容器本体１２の開口端面２２には、上方に向かって開口する凹状をなしウォータシール５２用の水が収容される水収容溝２４が形成されている一方、水収容溝２４の底面４２に蓋体１６の周縁部端面４０が支持されるようになっており、水収容溝２４の底面４２と蓋体１６の周縁部端面４０が、何れも全面に亘って釉薬が施されて平滑化されているようにした。【選択図】図１
2014180300.tif 000002
【特許請求の範囲】
【請求項１】
陶器製の容器本体と、
前記容器本体の開口部を覆蓋すると共に通気孔を有しない陶器製の蓋体と、を備えており、
前記容器本体の開口端面には、上方に向かって開口する凹状をなしウォータシール用の水が収容される水収容溝が形成されている一方、該水収容溝の底面に前記蓋体の周縁部端面が支持されるようになっており、
前記水収容溝の前記底面と前記蓋体の前記周縁部端面が、何れも全面に亘って釉薬が塗布されて平滑化されている
ことを特徴とする陶器製減圧調理鍋。
【請求項２】
前記水収容溝の前記底面と前記蓋体の前記周縁部端面の当接面が、それぞれ、互いに平行に延出して対向する内周側当接面と、互いに平行に延出して対向する外周側当接面から構成されており、
前記内周側当接面と前記外周側当接面の何れもが、鉛直上方に向かって傾斜している請求項１に記載の陶器製減圧調理鍋。
【請求項３】
前記内周側当接面の幅寸法が、前記外周側当接面の幅寸法よりも長くされている請求項２に記載の陶器製減圧調理鍋。
【請求項４】
前記蓋体の上端面に取っ手が突設されており、該取っ手の突出端面が釉薬が塗布されていない素焼き状とされている請求項１〜３の何れか１項に記載の陶器製減圧調理鍋。
【請求項５】
前記蓋体の裏面側の中央領域に釉薬が塗布されていない素焼き部が設けられている請求項１〜４の何れか１項に記載の陶器製減圧調理鍋。
【発明の詳細な説明】
【技術分野】
【０００１】
本発明は、陶器製の容器本体と蓋体を備えてなる土鍋等の陶器製調理鍋に関するものであって、特に、減圧を利用した陶器製減圧調理鍋に関するものである。
【背景技術】
【０００２】
従来から、陶器製の容器本体と蓋体を備えてなる土鍋等の陶器製調理鍋は、食品の加熱調理に広く用いられている。このような陶器製調理鍋においては、陶器自体の蓄熱性が高いことから、熱源から外した後にも調理鍋自体に蓄えられた余熱を利用して食品への緩やかな加熱調理をすることができ、食品に容器本体内に収容された煮汁や燻煙等をじっくりと浸透させて、美味しく調理できることが知られている。
【０００３】
ところで、陶器の蓄熱性のみに頼った余熱調理には限界があることから、熱源から外した調理鍋自体を、別途形成された保温用の断熱容器内に収容保持して、より長時間に亘る余熱調理を可能にする断熱調理器も提案されている。例えば、特開２００３−２３５７２３号公報等に記載のものがそれである。かかる断熱調理器を用いれば、陶器製調理鍋よりも長時間に亘る余熱調理が可能となり、食品へ煮汁等の味をよりじっくりと浸透させること等が可能となる。
【０００４】
しかしながら、このような断熱調理器では、長時間に亘る余熱調理はできるものの、調理鍋の他に、保温用に断熱容器を別途準備する必要があり、調理器自体の高額化が避けられず、取扱性や保存性にも劣るという問題があった。さらに、調理時間が長時間に亘ることが避けられず、短時間で食品へ煮汁等を浸透させた美味しい調理を行うことを、実現し得るものではなかった。
【先行技術文献】
【特許文献】
【０００５】
【特許文献１】特開２００３−２３５７２３号公報
【発明の概要】
【発明が解決しようとする課題】
【０００６】
本発明は、上述の事情を背景に為されたものであって、その解決課題は、部品点数の増加を伴うことなく、従来の土鍋等に比して余熱調理における食品への煮汁や燻煙等の浸透効果が高く、短時間で美味しい調理を行うことができる、新規な構造の陶器製減圧調理鍋を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
本発明の第一の態様は、陶器製の容器本体と、前記容器本体の開口部を覆蓋すると共に通気孔を有しない陶器製の蓋体と、を備えており、前記容器本体の開口端面には、上方に向かって開口する凹状をなしウォータシール用の水が収容される水収容溝が形成されている一方、該水収容溝の底面に前記蓋体の周縁部端面が支持されるようになっており、前記水収容溝の前記底面と前記蓋体の前記周縁部端面が、何れも全面に亘って釉薬が塗布されて平滑化されていることを特徴とする。
【０００９】
本態様によれば、水収容溝の底面と蓋体の周縁部端面の何れに対しても釉薬が施されて、その表面が滑らかにされている。これにより、容器本体が加熱され、高圧になる場合は、蓋体が浮き上がり、それら水収容溝と蓋体の当接面間から水蒸気等が排出され、極端な高圧化が回避される。一方、容器本体が熱源から外された場合には、容器内の温度が徐々に冷えていき、容器内の圧力が下がる。この際、水収容溝にウォータシールを形成する水が収容されていることから、蓋体が下方に押し当てられて、水収容溝の底面と蓋体の周縁部端面の当接面間に水の表面張力を利用したウォータシールが形成されて当接面間が封止され、容器内部の減圧状態が有利に保持される。特に、当接面に釉薬が塗布され、平滑化されていることから、従来の如き、陶器の素地がむき出しの粗面に比べて、水の表面張力が破られ難く、ウォータシールを安定して保持できる。従って、容器内を減圧状態に安定に維持することが可能となり、余熱調理中に容器内の煮汁や燻煙等を食品内に効率的に浸透させることができ、短時間で美味しい調理を行うことが、可能となるのである。
【００１０】
本発明の第二の態様は、前記第一の態様に記載の陶器製減圧調理鍋において、前記水収容溝の前記底面と前記蓋体の前記周縁部端面の当接面が、それぞれ、互いに平行に延出して対向する内周側当接面と、互いに平行に延出して対向する外周側当接面から構成されており、前記内周側当接面と前記外周側当接面の何れもが、鉛直上方に向かって傾斜しているものである。
【００１１】
本態様によれば、容器本体の外周側底面の外周当接面が斜め上方に立ち上がっていることから、調理鍋が加熱された際に発生した水蒸気等が上方に向かって排出されることとなり、鍋の周囲に拡散すること有利に防止できる。一方、熱源から容器本体を外した、余熱調理中には、容器内の圧力が減少し、蓋体が下がり気味になる。しかしながら、蓋体の内周側当接面と容器本体の水収容溝の内周側底面が斜め上方に上がっていることから、内部減圧に当接面間の水が引っ張られても、重力の作用もあり、吸引力が低減されるので、表面張力を破られ難く、維持し易い。その結果、減圧調理により、食品に味等を浸透し易くなる。
【００１２】
本発明の第三の態様は、前記第二の態様に記載の陶器製減圧調理鍋において、前記内周側当接面の幅寸法が、前記外周側当接面の幅寸法よりも長くされているものである。
【００１３】
本態様によれば、内周側当接面の幅寸法が、外周側当接面の幅寸法よりも長くされている。これにより、容器本体の外周側への外周側当接面の張り出しを抑えて容器本体のコンパクト化を図りつつ、余熱調理中にウォータシールを有利に形成して内部減圧を維持することにより、減圧調理による食品への煮汁や燻煙等の浸透を一層有利に図ることができるのである。
【００１４】
本発明の第四の態様は、前記第一乃至第三の何れか１つの態様に記載の陶器製減圧調理鍋において、前記蓋体の上端面に取っ手が突設されており、該取っ手の突出端面が釉薬が塗布されていない素焼き状とされているものである。
【００１５】
本態様によれば、蓋体の上端面に設けられた取っ手の突出端面が、釉薬が塗布されていない素焼き状とされていることから、蓋体の周縁部端面に釉薬を塗布した状態で取っ手部分を底面として、蓋体を焼成することができる。これにより、周縁部端面に釉薬が施された蓋体を有利に形成できるのである。
【００１６】
本発明の第五の態様は、前記第一乃至第四の何れか１つの態様に記載の陶器製減圧調理鍋において、前記蓋体の裏面側の中央領域に釉薬が塗布されていない素焼き部が設けられているものである。
【００１７】
本態様によれば、蓋体の裏面側の中央領域に釉薬が塗布されていない素焼き部が設けられていることから、取っ手部分を底向きにして載置した蓋体の裏面側の中央領域に対して、別の蓋体の取っ手部分を底面にして重ね合せることで、複数の蓋体を複数段に積み上げた状態で焼成することができる。従って、複数の蓋体を載置用の段などを設けることなく効率的に焼成することができるのである。
【発明の効果】
【００１８】
本発明の陶器製減圧調理鍋によれば、水収容溝の底面と蓋体の周縁部端面の何れに対しても釉薬が施されて、その表面が滑らかにされている。これにより、容器本体が熱源から外された場合には、容器内の圧力が下がることに伴い、水収容溝の底面と蓋体の周縁部端面の当接面間に水収容溝に収容された水の表面張力を利用したウォータシールが形成され、容器内部の減圧状態が有利に保持される。これにより、余熱調理中に、内部減圧を維持して、食品内に煮汁や燻煙等を効率的に浸透させる減圧調理が実現され、食品を短時間で美味しく調理することができる。
【図面の簡単な説明】
【００１９】
【図１】本発明の一実施形態としての陶器製減圧調理鍋の断面図。
【図２】図１に示した容器本体の平面図。
【図３】図１に示した蓋体の（ａ）平面図と（ｂ）下面図。
【図４】図１のＡ部拡大図。
【図５】本発明の陶器製減圧調理鍋を用いた、異なる態様の調理法を示す、図１に相当する断面図。
【発明を実施するための形態】
【００２０】
以下、本発明の実施形態について、図面を参照しつつ説明する。
【００２１】
先ず、図１〜４には、本発明の一実施形態としての陶器製減圧調理鍋１０が示されている。陶器製減圧調理鍋１０は、陶器製の容器本体１２と、容器本体１２の開口部１４を覆蓋すると共に通気孔を有しない陶器製の蓋体１６と、を備えている。なお、以下の説明において、上下方向とは、使用状態下において鉛直上下方向となる、図１中の上下方向を言うものとする。
【００２２】
容器本体１２は、図１に示されているように、一体的に形成された球殻形状の周壁部１８と平らな底部２０を有しており、全体として丸釜形状を有している。また、周壁部１８の開口端面２２には、上方に向かって開口する凹状をなし、後述するウォータシール５２用の水が収容される水収容溝２４が全周に亘って一体形成されている。また、容器本体１２は、図２に示されているように、平面視において、全面に亘って釉薬が塗布されている。すなわち、周壁部１８と底部２０の内面２６と、水収容溝２４を含む周壁部１８の開口端面２２の全面に亘って、釉薬が施されて平滑化されている。ここで、釉薬が塗布された領域は、図２〜３において仮想線の網目模様で表されている。なお、本実施形態では、黄瀬戸釉や粉引釉等の一般的な釉薬が使用されている。
【００２３】
一方、蓋体１６は、図１に示されているように、全体として略球殻形状を有しており、蓋体１６の上端面の径方向中央部分には、上方に向かって突出する筒状の取っ手３２が一体形成されている。図３（ａ）に示されているように、取っ手３２の突出端面３４には釉薬が塗布されておらず、素焼き状とされている一方、平面視において、取っ手３２の突出端面３４以外の領域には、釉薬が塗布されている。また、図３（ｂ）に示されているように、蓋体１６の裏面側の中央領域に釉薬が塗布されていない素焼き部３８が設けられている一方、下面視において、素焼き部３８以外の領域、例えば蓋体１６の周縁部端面４０には全面に亘って釉薬が施されて平滑化されている。
【００２４】
そして、かかる蓋体１６は、図１に示されているように、容器本体１２に対して組み付けられるようになっている。すなわち、蓋体１６の周縁部端面４０が、容器本体１２の周壁部１８の開口端面２２に形成された水収容溝２４に対して、上方から嵌め入れられて重ね合わされることにより、容器本体１２の開口部１４が蓋体１６により覆蓋されると共に、蓋体１６の周縁部端面４０が水収容溝２４の底面４２により支持されるようになっている。
【００２５】
図４に示されているように、水収容溝２４の底面４２は、蓋体１６の周縁部端面４０と当接する２つの当接面、即ち、内周側に設けられた内周側当接面４４と、外周側に設けられた外周側当接面４６、を含んで構成されている。同様に、蓋体１６の周縁部端面４０も、水収容溝２４の底面４２と当接する２つの当接面、即ち、内周側に設けられた内周側当接面４８と、外周側に設けられた外周側当接面５０、を含んで構成されている。そして、図４に示されているように、蓋体１６と容器本体１２が組み付けられた状態において、それぞれの内周側当接面４４，４８が互いに平行に延出して対向するようになっている一方、それぞれの外周側当接面４６，５０についても互いに平行に延出して対向するようになっている。ここで、水収容溝２４にはウォータシール５２用の水が注入されることから、内周側当接面４４，４８間と外周側当接面４６，５０間に水が広がって、それら当接面４４，４８間及び４６，５０間を封止するウォータシール５２が形成されるようになっている。ここで、理解を容易とするために、図４においては、ウォータシール５２を誇張して表示している。さらに、内周側当接面４４，４８の幅寸法：Ｌ１は、外周側当接面４６，５０の幅寸法：Ｌ２よりも長くされている。
【００２６】
加えて、内周側当接面４４，４８の鉛直上方に対する傾斜角度：αと、外周側当接面４６，５０の鉛直上方に対する傾斜角度：βは、何れも鋭角とされている。すなわち、内周側当接面４４，４８と外周側当接面４６，５０は何れも、鉛直上方に向かって傾斜するように形成されているのである。なお、本実施形態では、内周側当接面４４，４８の傾斜角度：αは、外周側当接面４６，５０の傾斜角度：βよりも大きく（α＞β）されているが、同程度の値でもよいし、あるいはまた小さく（α＜β）てもよい。
【００２７】
このような本実施形態に従う構造の陶器製減圧調理鍋１０は、図１に示されているように、煮物等を行うのに好適に用いられる。以下に、本実施形態に従う構造の陶器製減圧調理鍋１０を用いて、ガスコンロ等の直火で煮物等を行う方法について例示する。
【００２８】
先ず、容器本体１２に食材５４と煮汁５６をそれぞれ適量ずつ入れた後、容器本体１２の水収容溝２４にウォータシール５２を形成する少量の水を注入する。そして、蓋体１６の周縁部端面４０を容器本体１２の水収容溝２４に重ね合わせることにより、容器本体１２の開口部１４を覆蓋して閉塞せしめると共に、蓋体１６の周縁部端面４０と容器本体１２の水収容溝２４の当接面４４，４８、４６，５０間にウォータシール５２が形成される。これにより、容器内に食材５４と煮汁５６を収容した陶器製減圧調理鍋１０が準備される。次に、容器内に食材５４と煮汁５６を収容した陶器製減圧調理鍋１０を、ガスコンロ等の直火にかけて底部２０より加熱する。これにより、容器内の煮汁５６が沸騰されて、煮汁５６の熱で食材５４が加熱されることによって、煮込み工程が行われる。
【００２９】
所定時間の加熱により煮込み工程が完了した後、ガスコンロ等の火を消して、陶器製減圧調理鍋１０を、蓋体１６で容器本体１２の開口部１４を覆蓋した状態のまま、適当な時間だけ放置する。これにより、容器本体１２内の減圧と陶器製減圧調理鍋１０の余熱を利用した浸透工程が行われる。そして、適当な時間の浸透工程を経ることによって、調理が完了する。
【００３０】
ここにおいて、本実施形態に係る陶器製減圧調理鍋１０は、容器本体１２の水収容溝２４の底面４２と蓋体１６の周縁部端面４０の何れにも釉薬が施されて、その表面が滑らかにされている。これにより、煮込み工程において、容器本体１２が加熱され、容器本体１２内が高圧になる場合は、蓋体１６の周縁部端面４０が容器本体１２の水収容溝２４から浮き上がることにより水蒸気が排出され、極端な高圧化を回避することができる。一方、浸透工程において、容器本体１２内の温度が徐々に冷えて容器本体１２内の圧力が下がる場合には、蓋体１６の周縁部端面４０が容器本体１２の水収容溝２４の底面４２に押し当てられる。しかも、容器本体１２の水収容溝２４と蓋体１６の周縁部端面４０間には水収容溝２４に収容された水が広がって、水の表面張力を利用したウォータシール５２が形成されている。かかるウォータシール５２により、容器本体１２内部の減圧状態が有利に保持される。特に、当接面４４，４６，４８，５０に釉薬が塗布され、平滑化されていることから、従来の如き、陶器の素地がむき出しの粗面に比べて、水の表面張力が破られ難く、ウォータシール５２を安定して保持できる。従って、容器内を減圧状態に維持して煮汁５６が食材５４に浸透することを促進し、短時間で食材５４に味を浸透させることができるのである。
【００３１】
また、本実施形態では、容器本体１２の水収容溝２４と蓋体１６の周縁部端面４０の外周側当接面４６，５０が鋭角：βに立ち上がっていることから、煮込み工程において、容器本体１２が加熱され、容器本体１２内が高圧になる場合に、水蒸気が容器本体１２の上方に排出され、容器本体１２の周囲に飛散することを有利に防止できる。しかも容器本体１２の外周側への張り出し、大型化が防止されている。一方、浸透工程において、容器本体１２内の温度が徐々に冷えて容器本体１２内の圧力が下がる場合に、容器本体１２の水収容溝２４と蓋体１６の周縁部端面４０の内周側当接面４４，４８が鋭角：αに立ち上がっていることから、表面張力を破られ難く、ウォータシール５２を安定して保持できる。その結果、減圧調理により、食品に味等を浸透し易くなる。
【００３２】
しかも、本実施形態では、内周側当接面４４，４８の幅寸法：Ｌ１が、外周側当接面４６，５０の幅寸法：Ｌ２よりも長くされている。これにより、浸透工程においては、内部減圧を維持し易く、減圧調理により、より一層有利に食品に味等を浸透し易くできる。
【００３３】
加えて、本実施形態では、蓋体１６の上端面に取っ手３２が突設されており、取っ手３２の突出端面３４が釉薬が塗布されていない素焼き状とされていることから、取っ手３２部分を底面として、蓋体１６を載置した状態で塗布した蓋体１６の周縁部端面４０を有利に焼成することができる。しかも、蓋体１６の裏面側の中央領域に釉薬が塗布されていない素焼き部３８が設けられていることから、取っ手３２部分を底向きに載置した蓋体１６の裏面側の中央領域に別の蓋体１６の取っ手３２部分を底面にして重ね合せて、複数段積んで焼成することができる。すなわち、載置用の段などを設けなくても効率的に焼成することができるのである。
【００３４】
以上、本発明の一実施形態について説明してきたが、これはあくまでも例示であって、本発明は、かかる実施形態における具体的な記載によって、何等、限定的に解釈されるものではない。
【００３５】
例えば、本実施形態の陶器製減圧調理鍋１０は、煮物等の調理に限定されるものではなく、図５に示されているように、燻製を行うこともできる。
【００３６】
より詳細には、先ず、容器本体１２に燻煙発生用チップ６０を適量入れた後、円形状の網６２を置く。網６２の周縁端部６４が、容器本体１２の周壁部１８の内面２６に当接されるように配設することにより、燻煙発生用チップ６０の上方に所定距離を隔てて、網６２が載置されるようになっている。網６２の上に食材６６を載せた後、容器本体１２の水収容溝２４にウォータシール５２用の少量の水を注入する。そして、蓋体１６の周縁部端面４０を容器本体１２の水収容溝２４に重ね合わせることにより、容器本体１２の開口部１４が覆蓋されて閉塞されると共に、蓋体１６の周縁部端面４０と容器本体１２の水収容溝２４の当接面４４，４８、４６，５０間にウォータシール５２が形成される。次に、容器内に燻煙発生用チップ６０と食材６６を収容した陶器製減圧調理鍋１０を、ガスコンロ等の直火にかけて底部２０より加熱する。これにより、燻煙発生用チップ６０が加熱されて燻煙が発生し、燻煙により食材６６が燻されることによって、燻し工程が行われる。
【００３７】
所定時間の加熱により燻し工程が完了した後、ガスコンロ等の火を消して、陶器製減圧調理鍋１０を、蓋体１６で容器本体１２の開口部１４を覆蓋した状態のまま、適当な時間だけ放置する。これにより、容器本体１２内の減圧と陶器製減圧調理鍋１０の余熱を利用した浸透工程が行われる。そして、適当な時間の浸透工程を経ることによって、燻製調理が完了する。
【００３８】
本実施形態の陶器製減圧調理鍋１０を用いて燻製を行う場合においても、前実施形態で説明を行った、煮物を行う場合と同様の効果を期待できる。すなわち、浸透工程において、ウォータシール５２により容器本体１２に内部の減圧状態が有利に保存され、燻煙の食材６６への浸透を短時間で有利に行うことが可能となるのである。また、本実施形態の陶器製減圧調理鍋１０は、これ以外にも、減圧浸透効果を利用したさまざまな調理に用いることができる。
【００３９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００４０】
１０：陶器製減圧調理鍋、１２：容器本体、１４：開口部、１６：蓋体、２２：開口端面、２４：水収容溝、３２：取っ手、３４：突出端面、３８：素焼き部、４０：周縁部端面、４２：底面、４４，４８：内周側当接面、４６，５０：外周側当接面、５２：ウォータシール
【図１】
2014180300.tif 000003
【図２】
2014180300.tif 000004
【図３】
2014180300.tif 000005
【図４】
2014180300.tif 000006
【図５】
2014180300.tif 000007